【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  （１）カルボニル化合物、（２）モノマ−、及び（３）ホスホロクロリダイトに由来する繰返し単位を含んでなるポリマ−組成物であって、該カルボニル化合物が（Ｒ1 Ｏ2 Ｃ）m （ＯＨ）−Ａｒ1 −（ＯＨ）（ＣＯ2 Ｒ1 ）m 、（Ｒ1 Ｏ2 Ｃ）m （ＯＨ）−Ａｒ2 −Ａ2 −Ａｒ2 −（ＯＨ）（ＣＯ2 Ｒ1 ）m 、（Ｒ1 Ｏ2 Ｃ）m −Ａｒ2 −Ａｒ2 −（ＣＯ2 Ｒ1 ）m 、及びこれらの２つまたはそれ以上の組合わせからなる群から選択される式を有し、
該モノマ−が多価アルコール、アミン、及びこれらの組合わせからなる群から選択され、
該ホスホロクロリダイトがＣｌＰ（Ｏ−Ａｒ2 −Ｒ2 ）2 からなる群から選択される式を有し、ＣｌＰ（Ｏ−Ａｒ2 −Ｒ2 ）2 のＡｒ2 基は互いに結合していないか、互いに直接結合しているか、または互いに基Ａ2 を通して結合しており、
各Ａｒ1 がＣ6 −Ｃ40フェニレン基、Ｃ12−Ｃ40ビフェニレン基、Ｃ10−Ｃ40ナフチレン基、Ｃ20−Ｃ40ビナフチレン基、及びこれらの２つまたはそれ以上の組合わせからなる群から選択され、
各Ａｒ2 が独立にＣ6 −Ｃ40フェニレン基、Ｃ10−Ｃ40ナフチレン基、及びこれらの組合わせからなる群から選択され、
Ａ2 が−Ｃ（Ｒ1 ）（Ｒ1 ）、−Ｏ−、−Ｎ（Ｒ1 ）−、−Ｓ−、−Ｓ（Ｏ）2 −、−Ｓ（Ｏ）−、及びこれらの２つまたはそれ以上の組合わせからなる群から選択され、
各Ｒ1 が独立に水素、Ｃ1 −Ｃ12アルキル基またはシクロアルキル基、Ｃ6 −Ｃ20アリ−ル基、及びこれらの２つまたはそれ以上の組合わせからなる群から選択され、
各Ｒ2 が独立に水素、Ｃ1 −Ｃ12アルキルまたはシクロアルキル基、アセタ−ル、ケタ−ル、−ＯＲ3 、−ＣＯ2 Ｒ3 、Ｃ6 −Ｃ20アリ−ル基、Ｆ、Ｃｌ、−ＮＯ2 、−ＳＯ3 Ｒ3 、−ＣＮ、パ−ハロアルキル、−Ｓ（Ｏ）Ｒ3 、−Ｓ（Ｏ）2 Ｒ3 、−ＣＨＯ、−Ｃ（Ｏ）Ｒ3 、環式エーテル、−Ａ1 Ｚ、及びこれらの２つまたはそれ以上の組合わせからなる群から選択され、
Ａ1 がＣ1 −Ｃ12アルキレン基であり、
Ｚが−ＣＯ2 Ｒ3 、−ＣＨＯ、−Ｃ（Ｏ）Ｒ3 、−Ｃ（Ｏ）ＳＲ3 、−ＳＲ3 、−Ｃ（Ｏ）ＮＲ1 Ｒ1 、−ＯＣ（Ｏ）Ｒ3 、−ＯＣ（Ｏ）ＯＲ3 、−Ｎ＝Ｃ（Ｒ1 ）Ｒ1 、−Ｃ（Ｒ1 ）＝ＮＲ1 、−Ｃ（Ｒ1 ）＝Ｎ−Ｏ−Ｒ1 、−Ｐ（Ｏ）（ＯＲ3 ）（ＯＲ3 ）、−Ｓ（Ｏ）2 Ｒ3 、−Ｓ（Ｏ）Ｒ3 、−Ｃ（Ｏ）ＯＣ（Ｏ）Ｒ3 、−ＮＲ3 ＣＯ2 Ｒ3 、−ＮＲ3 Ｃ（Ｏ）Ｎ（Ｒ1 ）Ｒ1 、Ｆ、Ｃｌ、−ＮＯ2 、−ＳＯ3 Ｒ3 、−ＣＮ、及びこれらの２つまたはそれ以上の組合わせからなる群から選択され、
各Ｒ3 が独立にＣ1 −Ｃ12アルキルまたはシクロアルキル基、Ｃ6 −Ｃ20アリ−ル基、及びこれらの組合わせからなる群から選択され、そして
各ｍが独立に１−２の範囲の数である、
ポリマ−組成物。
【請求項２】  ＣｌＰ（Ｏ−Ａｒ2 −Ｒ2 ）2 のＲ2 基が燐に結合した酸素に対してオルト位にある、請求項１に記載の組成物。
【請求項３】  （１）三塩化燐、もしくはＣｌ2Ｐ（ＯＡｒ3）、又はその両方、（２）多価アルコール、及び（３）芳香族ジオ−ルに由来する反復単位を含んでなる、ポリマ−組成物。
【請求項４】  該多価アルコールのＯＨ基の位置が、該多価アルコールをＰＣｌ3 と接触させた時、単座配位のホスファイトが主に生成しないような位置である、請求項３に記載の組成物。
【請求項５】  更にニッケル、パラジウム、コバルト、及びこれらの２つまたはそれ以上の組合わせからなる群から選択される少なくとも１つの第VIII族金属を含んでなる、請求項１−４のいずれかに記載の組成物。
【請求項６】  無機化合物または有機金属化合物の元素がスカンジウム、チタン、バナジウム、クロム、マンガン、鉄、コバルト、銅、亜鉛、硼素、アルミニウム、イットリウム、ジルコニウム、ニオビウム、モリブデン、カドミウム、レニウム、錫、及びこれらの２つまたはそれ以上の組合わせからなる群から選択される無機化合物または有機金属化合物である少なくとも１つのルイス酸を更に含んでなる、請求項５に記載の組成物。
【請求項７】  （１）カルボニル化合物をモノマーと接触させて中間体を製造し、そして（２）該中間体をホスホロクロリダイトと接触させることを含んでなる方法であって、ここで
該カルボニル化合物が（Ｒ1 Ｏ2 Ｃ）m （ＯＨ）−Ａｒ1 −（ＯＨ）（ＣＯ2 Ｒ1 ）m 、（Ｒ1 Ｏ2 Ｃ）m （ＯＨ）−Ａｒ2 −Ａ2 −Ａｒ2 −（ＯＨ）（ＣＯ2 Ｒ1 ）m 、（Ｒ1 Ｏ2 Ｃ）m −Ａｒ2 −Ａｒ2 −（ＣＯ2 Ｒ1 ）m 、及びこれらの２つまたはそれ以上の組合わせからなる群から選択され、
該モノマ−が多価アルコール、アミン、及びこれらの組合わせからなる群から選択され、
該ホスホロクロリダイトがＣｌＰ（Ｏ−Ａｒ2 −Ｒ2 ）2 からなる群から選択される式を有し、ＣｌＰ（Ｏ−Ａｒ2 −Ｒ2 ）2 のＡｒ2 基は互いに結合していないか、互いに直接結合しているか、または互いに基Ａ2 を通して結合しており、ここで
各Ａｒ1 がフェニレン基、ビフェニレン基、ナフチレン基、ビナフチレン基、及びこれらの２つまたはそれ以上の組合わせからなる群から選択され、
各Ａｒ2 が独立にフェニレン基、ナフチレン基、及びこれらの組合わせからなる群から選択され、
Ａ2 が−Ｃ（Ｒ1 ）（Ｒ1 ）−、−Ｏ−、−Ｎ（Ｒ1 ）−、−Ｓ−、−Ｓ（Ｏ）2 −、−Ｓ（Ｏ）−、及びこれらの２つまたはそれ以上の組合わせからなる群から選択され、
各Ｒ1 が独立に水素、Ｃ1 −Ｃ12アルキルまたはシクロアルキル基、Ｃ6 −Ｃ20アリ−ル基、及びこれらの２つまたはそれ以上の組合わせからなる群から選択され、
各Ｒ2 が独立に水素、Ｃ1 −Ｃ12アルキルまたはシクロアルキル基、アセタ−ル、ケタ−ル、−ＯＲ3 、−ＣＯ2 Ｒ3 、Ｃ6 −Ｃ20アリ−ル基、Ｆ、Ｃｌ、−ＮＯ2 、−ＳＯ3 Ｒ3 、−ＣＮ、パ−ハロアルキル、−Ｓ（Ｏ）Ｒ3 、−Ｓ（Ｏ）2 Ｒ3 、−ＣＨＯ、−Ｃ（Ｏ）Ｒ3 、環式エーテル、−Ａ1 Ｚ、及びこれらの２つまたはそれ以上の組合わせからなる群から選択され、
Ｚが−ＣＯ2 Ｒ3 、−ＣＨＯ、−Ｃ（Ｏ）Ｒ3 、−Ｃ（Ｏ）ＳＲ3 、−ＳＲ3 、−Ｃ（Ｏ）ＮＲ1 Ｒ1 、−ＯＣ（Ｏ）Ｒ3 、−ＯＣ（Ｏ）ＯＲ3 、−Ｎ＝Ｃ（Ｒ1 ）Ｒ1 、−Ｃ（Ｒ1 ）＝ＮＲ1 、−Ｃ（Ｒ1 ）＝Ｎ−Ｏ−Ｒ1 、−Ｐ（Ｏ）（ＯＲ3 ）（ＯＲ3 ）、−Ｓ（Ｏ）2 Ｒ3 、−Ｓ（Ｏ）Ｒ3 、−Ｃ（Ｏ）ＯＣ（Ｏ）Ｒ3 、−ＮＲ3 ＣＯ2 Ｒ3 、−ＮＲ3 Ｃ（Ｏ）Ｎ（Ｒ1 ）Ｒ1 、Ｆ、Ｃｌ、−ＮＯ2 、−ＳＯ3 Ｒ3 、−ＣＮ、及びこれらの２つまたはそれ以上の組合わせからなる群から選択され、
Ａ1 がＣ1 −Ｃ12アルキレン基であり、
各Ｒ3 が独立にＣ1 −Ｃ12アルキルまたはシクロアルキル基、Ｃ6 −Ｃ20アリ−ル基、及びこれらの組合わせからなる群から選択され、そして
各ｍが独立に１−２の範囲の数である、
方法。
【請求項８】  ＣｌＰ（Ｏ−Ａｒ2 −Ｒ2 ）2 のＲ2 基が燐に結合した酸素に対してオルト位にある、請求項７に記載の方法。
【請求項９】  該工程（１）の接触を１００−４５０℃の範囲の温度で行い、該工程（２）の接触を−５０−１５０℃の範囲の温度で行い、そして該ホスホロクロリダイトと該中間体のアルコール基との比が１０：１−０．５：１の範囲である、請求項７−８のいずれかに記載の方法。
【請求項１０】  （ａ）ＰＣｌ3 もしくはＣｌ2Ｐ（ＯＡｒ3）、又はその両方を多価アルコールと接触させて含燐ポリマ−を製造し、そして（ｂ）該含燐ポリマ−を芳香族ジオ−ルと接触させる、ことを含んでなる方法。
【請求項１１】  （ａ）Ｎ、Ｎ−ジアルキルジクロロホスホルアミダイトを多価アルコールと接触させてポリマ−ホスホルアミダイトを製造し、（ｂ）該ポリマ−ホスホルアミダイトを酸と接触させて含燐ポリマ−を製造し、そして（ｃ）該含燐ポリマ−を芳香族ジオ−ルと接触させる、ことを含んでなる方法。
【請求項１２】  該多価アルコールのＯＨ基の位置が、該多価アルコールをＰＣｌ3 と接触させた時に単座配位のホスファイトが主に生成しないような位置である、請求項１１に記載の方法。
【請求項１３】  請求項５−６のいずれかに示した触媒組成物の存在下に不飽和化合物を、シアン化水素を含んでなる流体と接触させることを含んでなる方法。
【請求項１４】  該不飽和化合物がブタジエン、３−ペンテンニトリル、４−ペンテンニトリル、メチル３−ペンテノエ−ト、メチル４−ペンテノエ−ト、メチル２−ペンテノエ−ト、及びこれらの２つまたはそれ以上の組合わせからなる群から選択される、請求項１３に記載の方法。
【請求項１５】  （ａ）ジオレフィン化合物を、請求項５−６に示した触媒組成物の存在下に、シアン化水素を含んでなる流体と接触させて、２−アルキル−３−モノアルケンニトリルを製造し、そして（ｂ）該２−アルキル−３−モノアルケンニトリルを該触媒組成物と接触させる、ことを含んでなる方法。
【請求項１６】  該ジオレフィン化合物がブタジエンである、請求項１５に記載の方法。
【請求項１７】  該２−アルキル−３−モノアルケンニトリルが２−メチル−３−ブテンニトリルである、請求項１５に記載の方法。
【請求項１８】  ２−アルキル−３−モノアルケンニトリルを、請求項５−６に示した触媒組成物と接触させることを含んでなる方法。
【請求項１９】  該２−アルキル−３−モノアルケンニトリルが２−メチル−３−ブテンニトリルである、請求項１８に記載の方法。